(57)【要約】      （修正有）【課題】集光及び増光効果を有する標識板を提供する。【解決手段】かかる標識板Ａは、パネル１０、複数の穿設孔１４、及び複数の集光レンズ２０を含む。パネル１０は、板状で、表示面１１と背面を備え、該表示面１１は、形状を設定できる表示部が設けられる。複数の穿設孔１４は、パネル１０の表示面１１において、少なくとも表示部及び表示面１１のフレームに属する領域に、間隔をあけて配置され、また、穿設孔１４は、パネル１０の表示面１１と背面を貫通するように設けられる。複数の集光レンズ２０は、パネル１０の背面の、各穿設孔１４に対応したところに設けられる。【選択図】図１
0003177651.tif 000002
【実用新案登録請求の範囲】
【請求項１】
集光及び増光効果を有する標識板（Ａ）であって、
板状で、表示面（１１）と背面（１２）を備えてなるパネル（１０）が備わり、該表示面（１１）は、形状を設定できる表示部（１３）が設けられており、
パネル（１０）の表示面（１１）には、少なくとも、表示部（１３）及び表示面（１１）のフレームに属する領域に、間隔をあけて配置されている複数の穿設孔（１４）が備わり、該穿設孔（１４）は、パネル（１０）の表示面（１１）と背面（１２）を貫通するように設けられており、
パネル（１０）の背面（１２）の、各穿設孔（１４）に対応したところには、複数の集光レンズ（２０）が設けられており、
光通過材で作られている各集光レンズ（２０）は、
穿設孔（１４）に合わせて突き出た光通過性突出部（２１）であって、該光通過性突出部（２１）は、パネル（１０）の表示面（１１）に露出するように設けられているものと、
光通過性突出部（２１）の後部とつないでいる集光部（２２）であって、該集光部（２２）は、集光面（２３）があり、それにより、外部の光線を集光し、光通過性突出部（２１）に導かせ、輝度を向上させるように設けられているものと、
少なくとも、光通過性突出部（２１）及び集光部（２２）のいずれかの一つに設けられている位置決め部（２４）であって、該位置決め部（２４）により、パネル（１０）の背面（１２）に設けられている集光レンズ（２０）は位置決められるように設けられているものと、
を含み、
標識板（Ａ）は、集光レンズ（２０）を利用して、背面から太陽光又は予め設置されている光源の光線を集光し、表示面（１１）を通過させ、輝度を向上することで、表示部（１３）の識別效果を高める機能と目的を実現させるように設けられている、
ことを特徴とする標識板。
【請求項２】
パネル（１０）の背面（１２）にある集光レンズ（２０）の位置決め部（２４）は、嵌込型フランジ、フレキシブルな鉤状のもの、階段状ギアエッジ、摩擦力による位置決め、及び、付加されている軟質ソケット（１７）のいずれかの一つであってもよく、
集光レンズ（２０）の集光部（２２）は、凸弧面、錐状面、及びフレネルレンズのいずれかの一つに該当し、集光レンズ（２０）の光通過性突出部（２１）は、凸弧面、平面、錐状面、及び歯形面のいずれかの一つに該当し、集光レンズ（２０）の集光部（２２）は、外径が拡大するような径拡大の形状を有している、
ことを特徴とする請求項１に記載の標識板。
【請求項３】
パネル（１０）の背面（１２）には更に、各集光レンズ（２０）の集光部（２２）に対応するもう一つの投射用光源として、発光ユニット（１８）が設けられており、
パネル（１０）の表示面（１１）には更に、光反射層（１６）が貼り付けられている、
ことを特徴とする請求項１に記載の標識板。
【請求項４】
集光レンズ（２０）の集光部（２２）周辺の局所には更に、光反射フィルム（１５）が設けられている、
ことを特徴とする請求項１、２又は３に記載の標識板。
【請求項５】
集光レンズ（２０）の集光部（２２）及び光通過性突出部（２１）は、独立して作られてから、組立て及び位置決めが行われており、
集光レンズ（２０）の光通過性突出部（２１）は更に、全体として、光通過材の色付きカバー（１９）で覆われている、
ことを特徴とする請求項１又は２に記載の標識板。
【考案の詳細な説明】
【技術分野】
【０００１】
本考案は、標識板に関わり、特に、背面からの集光により、レンズのように輝度を高める効果を達成させるオリジナルな構造設計形態に関する。
【背景技術】
【０００２】
本考案でいう標識板とは、あらゆるパネル形状による表示機能付きの製品構造体のことをいい、例えば、人々の生活の中でよく見られる交通標識パネル、広告看板、又は掲示板などがそれである。
【０００３】
標識板の構造設計では、表示機能の要求に対応するため、使用のとき、表示する内容を顕著に表示でき、最適な識別度を持たせるのが、製品設計時に考慮すべき重要な要素の一つである。いまのところ、関連業界では、ＬＥＤの発光技術や構造を標識板に導入、統合以来、かなりの時間が経っており、ＬＥＤを利用して、天候不良や夜間などの気象条件による標識板が識別されにくい問題は確かに改善されるが、ＬＥＤは省エネ装置であるが、電力消耗や部品損壊の発生は存在している。それに、電気配線、自家発電、蓄電などの設備の設置は、一般の簡単な標識板の場合よりもずっと複雑で、設置コストや今後の保守点検料金も多いことで、使用率の多くない標識板の場合は、ＬＥＤ構造を取り付けても、（設置コストからみた経済的効果から言えば）効果は限られ、高くない。もう一つの立場から見れば、従来の標識板に設置されているＬＥＤが、全日稼動モードでない場合は、ライトを消すと、輝度向上効果も消え、または、全日稼動モードにした場合は、ＬＥＤユニットや電気回路、蓄電などの設備の消耗率も大幅に向上するというような種々の問題点について、関連業界では折衷構造を持つ標識板を開発し、最小限のコストで、適切でかつ実用的な表示効果を高め、ニーズの多様化に対応する必要がある。
【０００４】
それゆえ、上述した従来の標識板構造に存在する問題点について、より理想的で実用性のあるオリジナルな構造を開発するのが、使用者の望むことであり、関連業者がそれを実現させるよう開発、努力すべき目標と方向でもある。
【０００５】
それを鑑みて、考案者は、関連製品の製造開発と設計に携わる長年の経験を持っており、上述した目標について詳しく設計し慎重に評価したうえ、ようやく実用性のある本考案を得られた所存である。
【考案の概要】
【考案が解決しようとする課題】
【０００６】
本考案は、集光及び増光効果を有する標識板を提供することを目的とし、解決しようとする課題は、改良して、より理想的で実用性のあるオリジナルな標識板構造を開発することにある。
【課題を解決するための手段】
【０００７】
一実施例によれば、標識板が提供される。該標識板は、板状で、表示面と背面を備えてなるパネルが備わり、該表示面は、形状を設定できる表示部が設けられており、パネルの表示面には、少なくとも表示部に属する領域に、間隔をあけて配置されている複数の穿設孔が備わり、該穿設孔は、該パネルの表示面と背面を貫通するように設けられており、パネルの背面の、各穿設孔に対応したところには、複数の集光レンズが設けられており、光通過材で作られている各集光レンズは、光通過性突出部、集光部、及び少なくとも一つの位置決め部を備えてなり、該光通過性突出部は、穿設孔に合わせて突き出て、パネルの表示面に露出するように設けられており、該集光部は、該光通過性突出部の後部とつないで、外径が拡大するように設けられており、該集光部は集光面があり、それにより、外部の光線を集光して、該光通過性突出部に導かせ、輝度を向上させるように設けられており、該位置決め部は少なくとも、該光通過性突出部及び集光部のいずれかの一つに設けられており、それにより、パネルの背面に設けられている該集光レンズは位置決められるように設けられている。
【０００８】
このようなオリジナルな設計による本考案は、従来の背景技術に対して、該集光レンズを利用して、背面から太陽光や、プリセットされている光源の光線を集光し、表示面を通過させることにより、輝度を向上し、表示部の識別效果が向上でき、コストが大幅に削減可能で、組立てがより簡単になるという実用性、進歩性、及び好適な産業の経済効果がある。
【図面の簡単な説明】
【０００９】
【図１】本考案の標識板の組立立体図である。
【図２】本考案の集光レンズとパネルの分解立体図である。
【図３】本考案の標識板の組立断面図である。
【図４】本考案の標識板により、集光レンズを利用して、背面から光線を集光し、表示面を通過させることができるのを示す平面イメージ図である。
【図５】本考案の集光レンズの集光部周辺の局所に光反射フィルムが設けられている実施例図である。
【図６】本考案の標識板により、集光レンズを利用して、背面から光線を集光し、表示面を通過させることができる実施例図である。
【図７】本考案のパネルの背面に発光ユニットが設けられている実施例図である。
【図８】本考案の標識板のもう一つの実施例図である。
【図９】本考案のパネルの表示面に光反射層が貼り付けられている実施例図である。
【図１０】本考案の集光部及び光通過性突出部が組立式形態である実施例図である。
【図１１】本考案の集光レンズの光通過性突出部が色付きカバーで覆われている実施例図である。
【図１２】本考案の集光レンズの位置決め部がフレキシブルな鉤状のもので、集光部がフレネルレンズである場合の実施例図である。
【図１３】本考案の集光レンズの位置決め部が階段状ギアエッジで、光通過性突出部が歯形形態である場合の実施例図である。
【図１４】本考案の集光レンズの位置決め部が付加の軟質ソケットである場合の実施例図である。
【考案を実施するための形態】
【００１０】
図１〜図５に示すのは、本考案の集光及び増光効果を有する標識板の好適な実施例であり、これらの実施例は説明のみに用いられ、また、本考案はこれらの実施例に限定されず、本考案の趣旨を離脱しない限り、本考案に対するあらゆる変更は本考案の範囲に属する。
【００１１】
本実施例による標識板Ａは、板状で、表示面１１と背面１２を備えてなるパネル１０が備わり、該表示面１１は、形状を設定できる表示部１３が設けられ、該パネル１０の具体的な実施形態は、フラットパネルまたはカーブパネルであってもよい。
【００１２】
また、パネル１０の表示面１１には少なくとも、表示部１３に属する領域に、間隔をあけて配置されている複数の穿設孔１４が備わり、該穿設孔１４は、該パネル１０の表示面１１と背面１２を貫通するように設けられている。
【００１３】
パネル１０の背面１２の、各穿設孔１４に対応したところには、複数の集光レンズ２０が設けられており、光通過材で作られている各集光レンズ２０は、光通過性突出部２１、集光部２２、及び少なくとも一つの位置決め部２４を備えてなり、該光通過性突出部２１は、穿設孔１４に合わせて突き出て、該光通過性突出部２１は、パネル１０の表示面１１に露出するように設けられており、該集光部２２は、該光通過性突出部２１の後部とつないで、外径が拡大するように設けられており、該集光部２２は集光面２３があり、それにより、外部光線を集光し、該光通過性突出部２１に導かせ、輝度を向上させるように設けられており、該位置決め部２４は少なくとも、該光通過性突出部２１及び集光部２２のいずれかの一つに設けられており、それにより、パネル１０の背面１２に設けられている該集光レンズ２０は、位置決められるように設けられている。該位置決め部２４は、図７に示すように、光通過性突出部２１に設けられてもよく、または、図１２に示すように、集光部２２に設けられてもよい。該パネル１０は、光線を集光し、光通過性突出部２１を通過させるようにし、これにより、表示部１３は、より識別しやすくなる。
【００１４】
該パネル１０の背面１２にある集光レンズ２０の位置決め部２４の形態は、嵌込フランジ、フレキシブルな鉤状のもの（図１２）、階段状ギアエッジ（図１３）、摩擦力による位置決め、付加されている軟質ソケット１７（図１４に示すように、該位置決め部２４は、光通過性突出部２１の周縁に軟質ソケット１７が設けられ、穿設孔１４に差し込まれ、位置決められている実施形態）のいずれかの一つでもよい。集光レンズ２０の集光部２２の形態は、凸弧面（図３、図７）、錐状面、フレネルレンズ（図１２）のいずれかの一つに該当し、集光レンズ２０の光通過性突出部２１の形態は、凸弧面（図３、図７）、平面、錐状面、歯形面（図１３）のいずれかの一つに該当するものである。なお、上述の形態は、本考案において、どれも具体的な実施形態である。
【００１５】
図３〜図５に示すのは、本考案の集光部２２の好適な実施形態であり、該集光レンズ２０の集光部２２は、外径が拡大するように径拡大の形状に設けられてもよい。
【００１６】
図５に示すように、該集光レンズ２０の集光部２２周辺の局所には更に、光反射フィルム１５が設けられており、それにより、パネル１０の背面１２に照射して反射された光線が、光反射フィルム１５に遮断され、再び反射され、集光部２２に集光され、外部からの光線が十分利用され、輝度向上の効果が更に増すことができる。
【００１７】
図７に示すように、該パネル１０の背面１２には更に、各集光レンズ２０の集光部２２に対応するもう一つの投射用光源として、発光ユニット１８が設けられており、例えば、夜に、外部からの光線照射がなく、表示部１３の識別が困難になるが、そこで、発光ユニット１８を夜になると発光する光源として設定し、集光部２２による集光を行い、光通過性突出部２１に導かせ、輝度を向上して通過させるようにし、夜でも、標識板Ａは明るく表示され、識別効果が高まるという機能と目的を実現することができる。
【００１８】
図９に示すように、該パネル１０の表示面１１には更に、光反射層１６が貼り付けられ、これにより、表示面１１に光線が照射（例えば、車用ライトの照射）されると、輝度が向上し、表示部の識別機能が高まる。
【００１９】
図１０に示すように、該集光レンズ２０の集光部２２と光通過性突出部２１は、独立して作られてから組立て及び位置決めが行われているので、集光部２２と光通過性突出部２１は異なる色で作られ、特殊な使用効果を達することができる。例えば、該表示部１３は、注意標識に使用される場合（例えば、児童に注意、落石注意など）、該光通過性突出部２１または集光部２２は、赤色の光通過材で作られ、表示部１３から赤い光線を発し、通行人に注意を呼びかける機能や効果が強まる。または、図１１に示すように、該集光レンズ２０の光通過性突出部２１は全体として、光通過材の色付きカバー１９で覆われており、該色付きカバー１９の色は、集光レンズ２０と異なる色に設けられ、有色の光線を発して、通行人に注意を呼びかける機能や効果も強まる。
【００２０】
該穿設孔１４は少なくとも、パネル１０の表示面１１における表示部１３及び表示面１１のフレームに属する領域に、間隔をあけて設けられており、図１に示すように、該穿設孔１４は間隔を開けて、パネル１０の表示面１１及び表示面１１のフレームに配置されることにより、集光レンズ２０がそれに対応して設けられている。
【００２１】
上述の構造、組立設計により、本考案の使用状況について次のように説明する。
【００２２】
図６に示すのは、該標識板Ａの表示面１１は、太陽光を後ろにして設置されている状態にあり、そこで、通行人は、逆光のため、表示部１３の表示内容がはっきり見えないので、標識板Ａによる表示や注意効果は達せないが、図４に示すように、本考案では、パネル１０の背面１２の、各穿設孔１４に対応したところに更に、複数の集光レンズ２０が配置されているという技術的特徴を利用して、標識板Ａは、集光レンズ２０の集光部２２を利用して、背面からの太陽光を集光し、該光通過性突出部２１に導かせ、輝度を向上して通過させるようにして、表示部１３の輝度が高められ、表示部１３の識別效果を高めることができる。該標識板Ａは昼間の逆光でない場合でも、逆光の場合の使用に制限されず、太陽光やその他の外部からの光線を利用して、輝度が向上して通過できるため、本考案は昼間に、発光ユニットのない条件下でも、輝度を向上でき、表示部１３の識別效果が高まり、設置コストや、今後の保守点検料金が大幅に削減され得る。また、図７に示すように、該標識板Ａは夜間、外部からの光線がない場合に使用される場合、パネル１０の背面１２にある発光ユニット１８が光を発し、集光部２２に集光し、光通過性突出部２１に導かせ、輝度を向上し、標識板Ａは夜にも、輝度が向上して表示され得る。
【００２３】
本考案による効果は次の通りである。
【００２４】
本考案に掲示された“集光及び増光効果を有する標識板”は、パネル、複数の穿設孔、及び複数の集光レンズを備えてなる該標識板のオリジナルな構造設計であり、本考案は背景技術に述べた従来の構造に対して、該集光レンズの集光部を利用して、背面から太陽光や、プリセットされている光源の光線を集光し、表示面を通過させ、輝度を向上して表示し、表示部の識別效果が向上でき、コストが大幅に削減可能で、組立てがより簡単になるという実用性、進歩性、及び好適な産業の経済効果がある。
【００２５】
また、本考案では、該集光レンズを標識板のパネルにある穿設孔に設けることにより、輝度を向上して表示するという技術的特徴を有するもので、部品の組立ては、従来のＬＥＤ部品の場合よりも著しく簡単になり、また、電気配線やＬＥＤ部品の損壊、交換などの問題もないということで、本考案による標識板輝度向上の構造、組立ては簡単化することができる。さらに、本考案にあっては、発光ユニットが配置されている実施例では、発光ユニットと集光レンズは別々に組立てられているから、発光ユニットの形態は、統合式モジュール化設計が可能で、損壊した場合の修理、交換は、標識板、集光レンズにも関わらず行えるので、従来の場合よりも簡単になる。
【００２６】
また、本考案による他の効果は次の通りである。
【００２７】
１．該集光レンズの集光部周辺の局所には更に、光反射フィルムが設けられている技術的特徴を有するもので、パネルの背面に照射して反射された光線が、光反射フィルムに遮断され、再び反射され、集光部に集光され、外部からの光線が十分利用され、輝度向上の効果は更に増すことができる。
【００２８】
２．該集光レンズの集光部及び光通過性突出部は、組立式形態という技術的特徴を有するもので、集光部及び光通過性突出部は、異なる色で作られ、異なる色の光を発することができる。例えば、該表示部は、注意標識に使用される場合（例えば、児童に注意、落石落石など）、該光通過性突出部又は集光部は、赤色の光通過材で作られ、表示部から赤い光線を発し、通行人に注意を呼びかける実用性、進歩性がある。または、該集光レンズの光通過性突出部は全体として、光通過材の色付きカバーで覆われている技術的特徴を利用して、該色付きカバーの色は、集光レンズと異なる色に設けられ、有色の光線を発し、通行人に注意を呼びかける効果も強まる。
【００２９】
上述した実施例に掲示したのは、本考案を具体的に説明するための内容であり、文の中において専門用語で説明してきたが、それをもって、本考案の請求の範囲を制限してはならないとし、また、当該技術分野が分かる者は、本考案のコンセプトや考えを理解したうえ、その改造や変更を行って、それと同等な効果を得たとしても、それらの改造や変更はいずれも後述した請求の範囲に含まれるものとする。
【符号の説明】
【００３０】
Ａ  標識板
１０  パネル
１１  表示面
１２  背面
１３  表示部
１４  穿設孔
１５  光反射フィルム
１６  光反射層
１７  軟質ソケット
１８  発光ユニット
１９  色付きカバー
２０  集光レンズ
２１  光通過性突出部
２２  集光部
２３  集光面
２４  位置決め部
【図１】
0003177651.tif 000003
【図２】
0003177651.tif 000004
【図３】
0003177651.tif 000005
【図４】
0003177651.tif 000006
【図５】
0003177651.tif 000007
【図６】
0003177651.tif 000008
【図７】
0003177651.tif 000009
【図８】
0003177651.tif 000010
【図９】
0003177651.tif 000011
【図１０】
0003177651.tif 000012
【図１１】
0003177651.tif 000013
【図１２】
0003177651.tif 000014
【図１３】
0003177651.tif 000015
【図１４】
0003177651.tif 000016